(57)【要約】【課題】小型、軽量化を得られ、しかも安定した動作を実現できる発光素子駆動回路を提供する。【解決手段】切換えスイッチ１３の可動接片１３ａを固定接片１３ｂ側に切換えると、直流電源１１から昇圧コイル１２に電流が流れ、そのエネルギーが昇圧コイル１２に充電され、次いで、可動接片１３ａを固定接片１３ｃ側に切換えると、昇圧コイル１２に充電されたエネルギーが放出され、昇圧された高電圧が発光ダイオード１４に供給されて発光ダイオード１４が駆動されるようになっていて、通信するデータ信号に応じて切換えスイッチ１３の可動接片１３ａを固定接片１３ｂ、１３ｃに交互に切換えることで、発光ダイオード１４を点灯、消灯させる。【選択図】      図１
2008227408.tif 000002
【特許請求の範囲】
【請求項１】
電源と、
前記電源からのエネルギーを充放電し、該エネルギーの放電により昇圧出力を発生する昇圧手段と、
前記昇圧手段で昇圧された出力により駆動される発光素子と、
前記昇圧手段の前記電源からのエネルギーの充電動作と、前記昇圧手段のエネルギー放電により昇圧された出力を前記発光素子に供給する動作を同期して実行させるスイッチング手段と、
を具備したことを特徴とする発光素子駆動回路。
【請求項２】
前記スイッチング手段は、前記昇圧手段の前記電源からのエネルギーの充電動作を行う昇圧スイッチと、前記昇圧手段のエネルギー放電により昇圧された出力を前記発光素子に供給する動作を行う変調スイッチを有し、これら昇圧スイッチと変調スイッチを同期して動作させることを特徴とする請求項１記載の発光素子駆動回路。
【請求項３】
前記スイッチング手段は、前記昇圧スイッチ及び変調スイッチの動作時間を可変可能にしたことを特徴とする請求項２記載の発光素子駆動回路。
【請求項４】
昇圧スイッチ及び変調スイッチは、トランジスタからなることを特徴とする請求項２又は３記載の発光素子駆動回路。
【発明の詳細な説明】
【技術分野】
【０００１】
本発明は、発光ダイオードやレーザダイオードなどの発光素子を駆動する発光素子駆動回路に関する。
【背景技術】
【０００２】
最近の光通信によるデータ伝送の分野の進歩は目覚しいものがあり、このような分野には、発光ダイオードやレーザダイオードなどの各種の発光素子が用いられる。
【０００３】
ところで、発光ダイオードやレーザダイオードなどの発光素子を駆動するためには、その発光素子に固有の順方向電圧Ｖｆ以上の電圧が必要である。例えば、一般的な白色発光ダイオードでは、順方向電圧Ｖｆが３．６Ｖであり、したがって、この白色発光ダイオードを点灯するには、この電圧以上の電圧源が必要となる。
【０００４】
ところが、一般に用いられる携帯電子機器では、電圧源として乾電池や充電池が用いられるが、その定格電圧は、３．７Ｖ以下であり、このままでは白色発光ダイオードを点灯することができない。また、仮に点灯できたとしても、時間とともに電池電圧が低下していくため、十分な電池寿命を全うすることなく点灯できなくなる。
【０００５】
そこで、従来、乾電池や充電池を電圧源としている携帯電子機器では、白色発光ダイオードを安定して点灯させるため、電圧源の電圧を３．６Ｖより高く安定した電圧に昇圧させる昇圧回路が用いられている。
【０００６】
一方、このような発光ダイオードやレーザダイオードなどの発光素子は、光通信の分野に用いられる場合、データ伝送を行うため高速に点滅させる必要があり、点灯と消灯を切り替える変調回路が不可欠でもある。
【０００７】
図６は、チョッパー方式を採用した昇圧回路の一例を示すもので、直流電源１の正極端子が昇圧コイル２及び図示極性のダイオード３の直列回路を介して出力端子ｔ１に接続され、負極端子が出力端子ｔ２に接続されている。そして、昇圧コイル２とダイオード３の接続点と出力端子ｔ１の間に昇圧スイッチ４が接続され、出力端子ｔ１とｔ２の間に平滑コンデンサ５が接続されている。ここで、ダイオード３は、平滑コンデンサ５に蓄えられたエネルギーが、昇圧スイッチ４をオンした際に逆流して放電するのを防止している。また、昇圧スイッチ４をオンオフするタイミングは、出力端子ｔ１、ｔ２の間の発生電圧に基づいて不図示の制御回路により制御される。さらに、平滑コンデンサ５は、昇圧した出力電圧が一定の範囲に収まるようにするために設けられており、安定した電圧を負荷側に供給可能にしている。照明装置のように発光素子を安定的に点灯させる用途の場合、この平滑コンデンサ５は、有効に機能する。
【０００８】
かかる昇圧回路は、まず、昇圧スイッチ４をオンすることで、直流電源１から昇圧コイル２に電流を流し、そのエネルギーを昇圧コイル２に充電する。次に、昇圧スイッチ４をオフすることで、十分にエネルギーが充電された昇圧コイル２から高圧が発生され、それをダイオード３を通して平滑コンデンサ５に蓄える。以下、昇圧スイッチ４のオンオフを繰り返すことで、平滑コンデンサ５の両端、つまり出力端子ｔ１、ｔ２間より昇圧された電圧が出力される。  
このようなチョッパー方式を採用した昇圧回路は、例えば特許文献１にも開示されている。
【０００９】
一方、図７は、発光素子を高速に点滅させる変調回路の一例を示すもので、直流電源６の正負極端子の間に変調スイッチ７、発光素子８及び電流制限機構９の直列回路が接続されている。ここで、直流電源６は、発光素子８を点灯するのに十分な電圧を供給可能にしている。また、変調スイッチ７は、通信するデータ信号に応じてオンオフされ、発光素子８の点灯、消灯を可能にしている。さらに、電流制限機構９は、発光素子８に過大な電流が流れないようにするためのものである。
【００１０】
このような変調回路は、通信するデータ信号に応じて変調スイッチ７をオンオフさせると、この変調スイッチ７のオンオフに応じて発光素子８の点灯、消灯が切換えられる。
【特許文献１】特開２００６−４９４２３号公報
【特許文献２】特開２００１−１４４５９７号公報
【発明の開示】
【発明が解決しようとする課題】
【００１１】
このように従来では、昇圧回路と変調回路は、別々に用意されるものであり、このため例えば、携帯型の光通信機器のように電圧源として乾電池や充電池が用いられるため昇圧回路を必要とし、しかもデータ信号の伝送を行うため発光素子を高速に点滅させる変調回路が用いられるものでは、それぞれの回路が独立して設けられることから、部品点数が多くなって、価格的に高価になり、また複数の回路を並設することで回路スペースも大きくなることから機器の大型化を招くという問題があった。
【００１２】
そこで、従来、図８に示すように図６で述べた昇圧回路と、図７で述べた変調回路を組み合わせた発光素子駆動回路が考えられている。この場合、図８は、図６及び図７と同一部分には同符号を付したもので、直流電源１を共通に使用し、平滑コンデンサ５の両端に変調スイッチ７、発光素子８及び電流制限機構９の直列回路が接続されている。このような昇圧回路と変調回路を組み合わせた発光素子駆動回路は、例えば特許文献２にも開示されている。
【００１３】
ところが、図８に示す発光素子駆動回路は、昇圧スイッチ４のオンオフ動作と変調スイッチ７のオンオフ動作がずれて非同期の状態になると、昇圧スイッチ４をオンしてから発光素子８を点灯させようとして変調スイッチ７がオンしても、昇圧コイル２からの昇圧出力が発光素子８に対し十分に供給されないことがあり、発光素子８の発光が不安定になって、データ信号の通信を安定してできなくなるという問題を生じる。また、平滑コンデンサ５の両端の電圧を一定にすることに主眼を置いていることから、昇圧コイル２にも安定したエネルギーを供給するため十分なエネルギーを蓄積できる大きなものが用いられ、さらに、これら平滑コンデンサ５及び昇圧コイル２の他に、ダイオード３、昇圧スイッチ４及び変調スイッチ７など、さらに多数の電子部品が使用されており、部品点数の多さからも依然として高価で、回路スペースも大きいままであり、機器の小型化の実現までに至っていない。
【００１４】
本発明は上記事情に鑑みてなされたもので、小型、軽量化を得られ、しかも安定した動作を実現できる発光素子駆動回路を提供することを目的とする。
【課題を解決するための手段】
【００１５】
請求項１記載の発明は、電源と、前記電源からのエネルギーを充放電し、該エネルギーの放電により昇圧出力を発生する昇圧手段と、前記昇圧手段で昇圧された出力により駆動される発光素子と、前記昇圧手段の前記電源からのエネルギーの充電動作と、前記昇圧手段のエネルギー放電により昇圧された出力を前記発光素子に供給する動作を同期して実行させるスイッチング手段と、を具備したことを特徴としている。
【００１６】
請求項２記載の発明は、請求項１記載の発明において、前記スイッチング手段は、前記昇圧手段の前記電源からのエネルギーの充電動作を行う昇圧スイッチと、前記昇圧手段のエネルギー放電により昇圧された出力を前記発光素子に供給する動作を行う変調スイッチを有し、これら昇圧スイッチと変調スイッチを同期して動作させることを特徴としている。
【００１７】
請求項３記載の発明は、請求項２記載の発明において、前記スイッチング手段は、前記昇圧スイッチ及び変調スイッチの動作時間を可変可能にしたことを特徴としている。
【００１８】
請求項４記載の発明は、請求項２又は３記載の発明において、昇圧スイッチ及び変調スイッチは、トランジスタからなることを特徴としている。
【発明の効果】
【００１９】
本発明によれば、小型、軽量化を得られ、しかも安定した動作を実現できる発光素子駆動回路を提供できる。
【発明を実施するための最良の形態】
【００２０】
以下、本発明の実施の形態を図面に従い説明する。
【００２１】
(第１の実施の形態)
図１は、本発明の第１の実施の形態にかかる発光素子駆動回路の概略構成を示したものである。  
図１において、１１は直流電源で、この直流電源１１には、乾電池や充電池などが用いられる。この直流電源１１の正極端には、電源電圧を昇圧する昇圧手段としての昇圧コイル１２を介して昇圧、変調用のスイッチング手段としての切換えスイッチ１３が接続されている。
【００２２】
昇圧コイル１２は、直流電源１１からのエネルギーを充放電し、該エネルギーの放電により電源電圧を昇圧した出力を発生するもので、この昇圧出力により後述する発光ダイオード１４を駆動する。ここでの昇圧コイル１２は、発光ダイオード１４を点灯させる時間が、１マイクロ秒前後と極めて短い時間分のエネルギーの充電を可能としたエネルギー蓄積量の小さなものが用いられる。
【００２３】
切換えスイッチ１３は、可動接片１３ａと、この可動接片１３ａが接離される２個の固定接片１３ｂ、１３ｃを有し、可動接片１３ａを固定接片１３ｂ、１３ｃと交互に接離させる切換え動作の他、固定接片１３ｂ、１３ｃのいずれにも接触していない中立状態が得られるようにしている。図１では、可動接片１３ａが中立状態に位置する場合を示している。
【００２４】
切換えスイッチ１３の固定接片１３ｂには、直流電源１１の負極端が接続されている。また、切換えスイッチ１３の固定接片１３ｃには、発光素子として図示極性の複数の発光ダイオード１４及び電流制限手段としての抵抗１５の直列回路を介して直流電源１１の負極端が接続されている。
【００２５】
この場合、切換えスイッチ１３は、データ信号の通信を行わないときは、可動接片１３ａが固定接片１３ｂ、１３ｃのいずれにも接触していない中立状態に位置される。また、データ信号の通信中は、可動接片１３ａが固定接片１３ｂ、１３ｃに交互に切換えられ、可動接片１３ａの固定接片１３ｂへの切換えにより昇圧コイル１２にエネルギーを充電させる動作と、可動接片１３ａの固定接片１３ｃへの切換えにより昇圧コイル１２のエネルギーを放電し昇圧された出力（高電圧）を発光ダイオード１４に供給させる動作を同期して実行する。
【００２６】
また、切換えスイッチ１３は、データ信号により点灯、消灯のパターンが決められた発光ダイオード１４に対し、発光ダイオード１４の点灯時間を長くするときは可動接片１３ａの固定接片１３ｂ側への切換え時間（オン時間）を長くして昇圧コイル１２に充電するエネルギーを多くするとともに、可動接片１３ａの固定接片１３ｃ側への切換え時間（オン時間）も長くして昇圧コイル１２より出力される高電圧を、時間をかけて発光ダイオード１４に供給し、逆に、発光ダイオード１４の点灯時間を短くするときは可動接片１３ａの固定接片１３ｂ側への切換え時間（オン時間）を短くして昇圧コイル１２に充電するエネルギーを少なくするとともに、可動接片１３ａの固定接片１３ｃ側への切換え時間（オン時間）も短くして昇圧コイル１２より出力される高電圧を短時間だけ発光ダイオード１４に供給する。
【００２７】
このような構成において、データ信号の通信を行わない場合、切換えスイッチ１３の可動接片１３ａが固定接片１３ｂ、１３ｃのいずれにも接触しない中立状態にあるものとする。この状態からデータ信号の通信が開始されると、このときのデータ信号により可動接片１３ａが固定接片１３ｂ、１３ｃに交互に切換えられる。
【００２８】
この場合、最初に可動接片１３ａが固定接片１３ｂ側に切換えられ、これら間が接触（オン）すると（図２（ａ）の期間Ａ１）、直流電源１１から昇圧コイル１２に電流が流れ、そのエネルギーが昇圧コイル１２に充電される。
【００２９】
次に、可動接片１３ａが固定接片１３ｃ側に切換えられ、これら間が接触（オン）すると（図２（ｂ）の期間Ｂ１）、昇圧コイル１２に充電されたエネルギーが放出され、昇圧された高電圧が発生する。この昇圧コイル１２の高電圧は、発光ダイオード１４に供給される。これにより、発光ダイオード１４には、固有の順方向電圧以上の十分な電圧が印加され、点灯（発光）される。また、昇圧コイル１２の出力が、時間とともに減少し、発光ダイオード１４の順方向電圧以下になると、発光ダイオード１４は消灯する。
【００３０】
以下、同様にして、データ信号に応じて切換えスイッチ１３の可動接片１３ａが固定接片１３ｂ、１３ｃに交互に切換えられることにより、発光ダイオード１４を点灯、消灯させることができる。
【００３１】
この場合、通信するデータ信号に応じて発光ダイオード１４の点灯時間を長くするときは図２（ａ）の期間Ａ２に示すように可動接片１３ａの固定接片１３ｂ側への切換え時間が長くして昇圧コイル１２に充電されるエネルギー量を多くするとともに、図２（ｂ）の期間Ｂ２に示すように可動接片１３ａの固定接片１３ｃ側への切換え時間も長くして昇圧コイル１２より出力される高電圧を時間をかけて発光ダイオード１４に供給する。逆に、発光ダイオード１４の点灯時間を短くするときは可動接片１３ａの固定接片１３ｂ側への切換え時間（オン時間）を短くして昇圧コイル１２に充電するエネルギー量を少なくするとともに、可動接片１３ａの固定接片１３ｃ側への切換え時間も短くして昇圧コイル１２より出力される高電圧を短い時間だけ発光ダイオード１４に供給する。
【００３２】
したがって、このようにすれば、切換えスイッチ１３の可動接片１３ａを固定接片１３ｂ側に切換えると、直流電源１１から昇圧コイル１２に電流が流れ、そのエネルギーが昇圧コイル１２に充電され、次いで、可動接片１３ａを固定接片１３ｃ側に切換えると、昇圧コイル１２に充電エネルギーが放電され、発光ダイオード１４に高電圧が供給されて発光ダイオード１４が駆動されるようになっていて、通信するデータ信号に応じて切換えスイッチ１３の可動接片１３ａを固定接片１３ｂ、１３ｃに交互に切換えることで、発光ダイオード１４を点灯、消灯させるようにしている。つまり、本発明の発光素子駆動回路は、従来の図８に示す回路構成が平滑コンデンサ両端の電圧を一定にすることに主眼を置いているのに対し、発光ダイオード１４を点灯、消灯させることを目的とした。これにより、そもそも安定的に発光ダイオード１４を発光させる必要がなくなり、そのため供給する電圧も一定にする必要がないので、図８の回路要素から平滑コンデンサを省略することができる。また、平滑コンデンサを省略したことで、平滑コンデンサからの不要な放電を防止するためのダイオードも不要となり図８の回路要素から省略することができる。さらに、図８に示す回路構成では、昇圧スイッチと変調スイッチをそれぞれ設けているが、本実施の形態の回路では、これらを一つにまとめて切換えスイッチ１３により、所望するスイッチ動作を得られるようにしているので、図８の回路要素からスイッチの個数も低減することができる。さらに、上述したように従来では、平滑コンデンサ両端の電圧を一定にすることに主眼を置いており、昇圧コイルも安定したエネルギーを供給するため十分に大きなものが必要であったが、本発明の発光素子駆動回路では、発光ダイオード１４を点灯させる時問だけ、一般にその時間は１マイクロ秒前後と極端に短い時間分のエネルギーを充電できればよいので、エネルギー蓄積量の小さな、小型のものを使用することができる。このように、本発明回路によれば、回路要素の削減および共通化を積極的に実現したことにより、携帯型の光通信機器に組み込んで使用することにより機器の小型、軽量化を実現することができる。
【００３３】
また、切換えスイッチ１３の可動接片１３ａの固定接片１３ｂへの切換えによる昇圧コイル１２へのエネルギーの充電と、可動接片１３ａの固定接片１３ｃへの切換えによる昇圧コイル１２のエネルギーの放電のそれぞれの動作を同期させて行うことにより、昇圧コイル１２の充電エネルギーを発光ダイオード１４に確実に、しかも十分に供給することができるので、発光ダイオード１４の発光が常に安定し、データ信号の通信を安定して行うことができる。
【００３４】
なお、上述では、電流制限手段としての抵抗１５について述べたが、電流制限の形態をとるものであれば抵抗に限定しないし、回路の動作条件によってはこの抵抗１５も省略が可能である。
【００３５】
（第２の実施の形態）
次に、本発明の第２の実施の形態にかかる発光素子駆動回路を図３に従い説明する。
【００３６】
図３は、切換えスイッチ１３を２つの昇圧スイッチと変調スイッチに置き換えたものである。この場合、昇圧コイル１２と直流電源１１の負極端との間に昇圧スイッチとして第１のバイポーラトランジスタ１６が接続され、また、昇圧コイル１２と発光ダイオード１４との間に変調スイッチとして第２のバイポーラトランジスタ１７が接続されている。
【００３７】
第１のバイポーラトランジスタ１６は、コレクタを昇圧コイル１２に、エミッタを直流電源１１の負極端にそれぞれ接続され、ベースに制御信号１６ａが供給されオンすることにより直流電源１１から昇圧コイル１２に電流を流し、そのエネルギーを昇圧コイル１２に充電させる。また、第２のバイポーラトランジスタ１７は、コレクタを昇圧コイル１２に、エミッタを発光ダイオード１４にそれぞれ接続され、ベースに制御信号１７ａが供給されオンすることにより、昇圧コイル１２のエネルギーを放電し、昇圧された出力を発光ダイオード１４に供給し点灯させる。
【００３８】
この場合、第１及び第２のバイポーラトランジスタ１６、１７は、データ信号の通信を行わないときは、いずれもオフで、データ信号の通信中は、同期してオンオフ動作され、第１のバイポーラトランジスタ１６のオンにより昇圧コイル１２にエネルギーを充電させる動作と、第２のバイポーラトランジスタ１７のオンにより昇圧コイル１２のエネルギーの放電し昇圧された出力の（高電圧）を発光ダイオード１４に供給させる動作を同期して実行する。
【００３９】
また、第１及び第２のバイポーラトランジスタ１６、１７は、データ信号により点灯、消灯のパターンが決められた発光ダイオード１４に対し、発光ダイオード１４の点灯時間を長くするときは第１のバイポーラトランジスタ１６のオン時間を長くして昇圧コイル１２に充電するエネルギーを多くするとともに、第２のバイポーラトランジスタ１７のオン時間も長くして昇圧コイル１２より出力される高電圧を、時間をかけて発光ダイオード１４に供給し、逆に、発光ダイオード１４の点灯時間を短くするときは第１のバイポーラトランジスタ１６のオン時間を短くして昇圧コイル１２に充電するエネルギーを少なくするとともに、第２のバイポーラトランジスタ１７のオン時間も短くして昇圧コイル１２より出力される高電圧を短時間だけ発光ダイオード１４に供給する。
【００４０】
その他は、図１と同様であり、同一部分には同符号を付している。
【００４１】
このような構成において、データ信号の通信を行わない場合、第１及び第２のバイポーラトランジスタ１６、１７は、いずれもオフしている。この状態からデータ信号の通信が開始されると、図４（ａ）（ｂ）に示すように第１及び第２のバイポーラトランジスタ１６、１７のそれぞれのベースにデータ信号に応じた制御信号１６ａ、１７ａが与えられ、第１及び第２のバイポーラトランジスタ１６、１７が交互に動作される。
【００４２】
この場合、最初に制御信号１６ａにより第１のバイポーラトランジスタ１６がオンすると（図４（ａ）の期間Ｃ）、直流電源１１から昇圧コイル１２に電流が流れ、そのエネルギーが昇圧コイル１２に充電される。次に、制御信号１７ａにより第２のバイポーラトランジスタ１７がオンすると（図４（ｂ）の期間Ｄ）、昇圧コイル１２に十分に充電されたエネルギーが放出され、昇圧された高電圧が発生する。この昇圧コイル１２の高電圧は、発光ダイオード１４に供給される。これにより、発光ダイオード１４には、固有の順方向電圧以上の十分な電圧が印加され、点灯（発光）される。また、昇圧コイル１２の出力が時間とともに減少し、発光ダイオードの順方向電圧以下になると、発光ダイオード１４は消灯する。
【００４３】
以下、同様にして、データ信号に応じて第１及び第２のバイポーラトランジスタ１６、１７が交互にオンオフ動作することにより、発光ダイオード１４を点灯、消灯させることができる。
【００４４】
したがって、このようにしても、第１の実施の形態と同様な効果を得ることができる。また、この第２の実施の形態では、昇圧スイッチ及び変調スイッチとして、第１及び第２のバイポーラトランジスタ１６、１７が用いられるので、データ信号に対して例えば１ＭＨｚ程度の高速動作も可能であり、携帯型の光通信機器のさらなる実用化が期待できる。
【００４５】
なお、この第２の実施の形態では、昇圧スイッチ及び変調スイッチとしてバイポーラトランジスタを用いているが、実際はスイッチの形態をとるものであればバイポーラトランジスタに限定しない。また、この実施の形態でも、電流制限手段としての抵抗１５を用いているが、電流制限の形態をとるものであれば抵抗に限定しないし、回路の動作条件によってはこの抵抗１５も省略が可能である。
【００４６】
（第３の実施の形態）
次に、本発明の第３の実施の形態にかかる発光素子駆動回路を図５に従い説明する。
【００４７】
図５は、第２の実施の形態と同様に昇圧スイッチとして第１のバイポーラトランジスタ１６、変調スイッチとして第２のバイポーラトランジスタ１７が用いられ、このうちの第２のバイポーラトランジスタ１７が発光ダイオード１４と抵抗１５の間に接続されている。この場合、第２のバイポーラトランジスタ１７は、コレクタを発光ダイオード１４に、エミッタを抵抗１５にそれぞれ接続され、ベースに制御信号１７ａが供給されオンすることにより、昇圧コイル１２から高圧を発生させて発光ダイオード１４に供給し、この発光ダイオード１４を点灯させる。また、第２のバイポーラトランジスタ１７のベースと直流電源１１の負極端との間に電流制限用スイッチング素子としてトランジスタ１８が接続されている。この場合、トランジスタ１８は、コレクタを第２のバイポーラトランジスタ１７のベースに、エミッタを直流電源１１の負極端にそれぞれ接続され、ベースを第２のバイポーラトランジスタ１７のエミッタに接続されている。
【００４８】
その他は、図３と同様であり、同一部分には同符号を付している。
【００４９】
このような構成によると、発光ダイオード１４に流れる電流が小さく、抵抗１５両端の電圧が低い場合は、トランジスタ１８はオフのままで、発光ダイオード１４に流れる電流は、第２のバイポーラトランジスタ１７及び抵抗１５を介して流れる。また、発光ダイオード１４に流れる電流が非常に大きくなり、抵抗１５両端の電圧が高くなると、第２のバイポーラトランジスタ１７のベースに供給される電流の一部がトランジスタ１８に流れ、その分第２のバイポーラトランジスタ１７に流れる電流が抑制される。このようにして発光ダイオード１４に流れる電流は、トランジスタ１８の働きにより制限され、常に適正な電流が発光ダイオード１４に流れるように制御される。
【００５０】
したがって、このようにしても第１の実施の形態と同様な効果を得ることができ、さらに発光ダイオード１４に流れる電流を常に適正な状態に制御できるので、発光ダイオード１４を安定して発光させることができる。
【００５１】
なお、この第３の実施の形態でも、昇圧スイッチ及び変調スイッチとしてバイポーラトランジスタを用いているが、実際はスイッチの形態をとるものであればバイポーラトランジスタに限定しない。
【００５２】
なお、本発明は、上記実施の形態に限定されるものでなく、実施段階では、その要旨を変更しない範囲で種々変形することが可能である。例えば、上述した実施の形態では、発光素子として発光ダイオード１４について述べたが、発光ダイオードに代えてレーザダイオードを用いた場合も同様に実施できる。また、上述した実施の形態では、信号データの通信用として発光ダイオードを点灯、消灯させるようにしたが、発光ダイオード１４の点灯、消灯は、チラツキを感じることのないほど極めて高速で行われることから、照明機器としても使用することが可能である。
【００５３】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００５４】
【図１】本発明の第１の実施の形態にかかる発光素子駆動回路の概略構成を示す図。
【図２】第１の実施の形態の動作シーケンスを示す図。
【図３】本発明の第２の実施の形態にかかる発光素子駆動回路の概略構成を示す図。
【図４】第２の実施の形態の動作シーケンスを示す図。
【図５】本発明の第３の実施の形態にかかる発光素子駆動回路の概略構成を示す図。
【図６】従来の昇圧回路の一例の概略構成を示す図。
【図７】従来の変調回路の一例の概略構成を示す図。
【図８】従来の昇圧回路と変調回路を組み合わせた発光素子の駆動回路の概略構成を示す図。
【符号の説明】
【００５５】
１１…直流電源、１２…昇圧コイル
１３…切換えスイッチ、１３ａ…可動接片
１３ｂ．１３ｃ…固定接片
１４…発光ダイオード、１５…抵抗
１６…第１のバイポーラトランジスタ
１７…第２のバイポーラトランジスタ
１８…トランジスタ
【図１】
2008227408.tif 000003
【図２】
2008227408.tif 000004
【図３】
2008227408.tif 000005
【図４】
2008227408.tif 000006
【図５】
2008227408.tif 000007
【図６】
2008227408.tif 000008
【図７】
2008227408.tif 000009
【図８】
2008227408.tif 000010